(57)【特許請求の範囲】
【請求項１】
浴槽内の水を前記浴槽外へ送出するための吸入部と、供給された水を前記浴槽内へ吐出するための吐出部と、を有し、前記浴槽に固定される固定部と、
前記固定部に当接するとともに、前記浴槽内の水を吸入する吸入口を有するカバー部と、
前記固定部または前記カバー部のうち一方に形成された複数の突起部と、
前記固定部または前記カバー部のうち他方に形成され、複数の前記突起部に当接する当接面と、
を有し、前記突起部と前記当接面とに囲まれた空間であるメッシュ孔を介して前記浴槽内の水を吸入する
ことを特徴とする浴槽用アダプタ。
【請求項２】
複数の前記突起部は、前記当接面に向かうほど幅狭になる先端部を有する
ことを特徴とする請求項１に記載の浴槽用アダプタ。
【請求項３】
前記メッシュ孔の長さは、前記メッシュ孔の開口部における最大幅以上である
ことを特徴とする請求項２に記載の浴槽用アダプタ。
【請求項４】
前記先端部に弾性変形を起こし、かつ、塑性変形を起こさない力で前記突起部を前記当接面に押圧する押圧部
をさらに有することを特徴とする請求項３に記載の浴槽用アダプタ。
【請求項５】
前記当接面および複数の前記突起部は、前記固定部または前記カバー部の外縁に沿って円形に配列されている
ことを特徴とする請求項４に記載の浴槽用アダプタ。
【請求項６】
浴槽と、
前記浴槽に装着された浴槽用アダプタと、
前記浴槽用アダプタを介して前記浴槽から水を吸入するとともに、吸入した水を加熱し前記浴槽用アダプタを介して前記浴槽に戻す給湯機と、
を有し、前記浴槽用アダプタは、
前記浴槽内の水を前記浴槽外へ送出するための吸入部と、供給された水を前記浴槽内へ吐出するための吐出部と、を有し、前記浴槽に固定される固定部と、
前記固定部に当接するとともに、前記浴槽内の水を吸入する吸入口を有するカバー部と、
前記固定部または前記カバー部のうち一方に形成された複数の突起部と、
前記固定部または前記カバー部のうち他方に形成され、複数の前記突起部に当接する当接面と、
を有し、前記突起部と前記当接面とに囲まれた空間であるメッシュ孔を介して前記浴槽内の水を吸入する
ことを特徴とする給湯システム。
【発明の詳細な説明】
【技術分野】
【０００１】
本発明は、浴槽用アダプタおよび給湯システムに関する。
【背景技術】
【０００２】
給湯機と浴槽とを接続し、湯はりや追いだき時に湯の吸入や吐出を行うため、浴槽には浴槽用アダプタが装着される。浴槽用アダプタは、浴槽に固定される固定部と、固定部を覆うカバー部とを有しており、カバー部の内側には、異物除去を目的としたフィルタが設けられる。一般家庭のユーザがこのフィルタを適宜清掃できるよう、カバー部は固定部から手作業で容易に取り外しできるようになっている。また、近年の給湯機には、湯と気泡を混合した状態で浴槽内に噴出する「ジェットバス機能」を有するものが多い。ジェットバス機能を動作させる場合においても、浴槽用アダプタを介して湯の吸入や吐出が行われるが、その際に吸入および吐出される湯量は、追いだき動作のときよりも大きくなる。
【０００３】
この種の浴槽用アダプタの一例として、下記特許文献１の段落００１８には、「また、フィルターキャップ１１は、合成樹脂で形成したフィルター本体４０と、金属製のフィルターケース４１とからなり、中央に上記ノズル管８が浴槽内に突出できる開口３７を形成すると共に、上記湯水流路仕切体９の湯水戻り路３２の各入口３３に対向するフィルター本体４０及びフィルターケース４１の位置に穴４２を形成し、このフィルター本体４０の穴４２を覆うようにしてフィルター１０の外周をフィルター本体４０に埋設してある。」と記載されている。
【先行技術文献】
【特許文献】
【０００４】
【特許文献１】特開平８−１３６０６１号公報
【発明の概要】
【発明が解決しようとする課題】
【０００５】
浴槽用アダプタの固定部およびカバー部は、金属または樹脂等によって形成されるが、形成する際に多少の歪みが生じる。このため、従来の浴槽用アダプタにおいて、固定部にカバー部を単純に装着すると、両者の外面の衝合部分には、若干の隙間が生じる。給湯機が浴槽内の湯を吸入する場合（特に、ジェットバス機能を動作させる場合）には、この隙間を通じても浴槽内の湯が吸入されるため、ユーザの毛髪も隙間に吸入され、ユーザの毛髪が絡まって抜けるような問題が生じる。
【０００６】
また、毛髪の吸入を抑制することについては、ユーザの安全を確保するために、法令上の要請が生じる場合もある。すなわち、ジェットバス機能を有する給湯機は、消費生活用製品安全法における浴槽用温水循環器に区分される場合があり、区分の対象となる場合は法に定められた技術基準および試験規格を満足する必要がある。「試験規格」とは定められた長さおよび重量の毛髪を最大の負荷で浴槽用アダプタ内に吸入させ、一定の力以下で毛髪を引き抜くことができるか否かを確認するものである。
【０００７】
このように、毛髪の絡まりを防止し、法令上の要請を充足するために、従来の浴槽用アダプタにおいては、固定部とカバー部との外面の衝合部分にウレタンフォーム等のスポンジ材を挟み込むことによって隙間を埋め、毛髪の吸入を抑制している。
しかし、かかる構成においては、スポンジ材の価格だけ浴槽用アダプタが高価になるという問題が生じる。また、スポンジ材は、紫外線や薬品の影響により経年的に強度劣化するため、スポンジ材の交換のために、維持費も高価になるという問題があった。
この発明は上述した事情に鑑みてなされたものであり、毛髪の吸入を抑制しつつ安価に製造できる浴槽用アダプタおよび給湯システムを提供することを目的とする。
【課題を解決するための手段】
【０００８】
上記課題を解決するため本発明の浴槽用アダプタは、浴槽内の水を前記浴槽外へ送出するための吸入部と、供給された水を前記浴槽内へ吐出するための吐出部と、を有し、前記浴槽に固定される固定部と、前記固定部に当接するとともに、前記浴槽内の水を吸入する吸入口を有するカバー部と、前記固定部または前記カバー部のうち一方に形成された複数の突起部と、前記固定部または前記カバー部のうち他方に形成され、複数の前記突起部に当接する当接面と、を有し、前記突起部と前記当接面とに囲まれた空間であるメッシュ孔を介して前記浴槽内の水を吸入することを特徴とする。
【発明の効果】
【０００９】
本発明によれば、毛髪の吸入を抑制しつつ安価に製造できる浴槽用アダプタおよび給湯システムを実現できる。
【図面の簡単な説明】
【００１０】
【図１】本発明の第１実施形態による給湯システムの系統図である。
【図２】浴槽用アダプタの分解斜視図である。
【図３】浴槽用アダプタの断面図である。
【図４】吐出・吸入部およびカバー部の分解斜視図である。
【図５】（ａ）はカバー部および補助ディスクの分解斜視図であり、（ｂ）はその要部の詳細図である。
【図６】（ａ）はカバー部および補助ディスクの組立状態の斜視図であり、（ｂ）はその要部の詳細図である。
【図７】第１実施形態の動作説明図である。
【図８】（ａ）は吸入部および補助ディスクの使用状態における側面図、（ｂ）はその断面図、（ｃ）は、その要部の詳細図である。
【図９】（ａ）は本発明の第２実施形態におけるカバー部および補助ディスクの分解斜視図であり、（ｂ）はその要部の詳細図である。
【図１０】本発明の第３実施形態における浴槽用アダプタの断面図である。
【図１１】本発明の第４実施形態における浴槽用アダプタの断面図である。
【発明を実施するための形態】
【００１１】
［第１実施形態］
〈全体構成〉
以下、図１に示す系統図を参照し、本発明の第１実施形態による給湯システム１の全体構成を説明する。
給湯システム１は、ジェットバス機能付きの給湯機１４と、浴槽１１とを有している。浴槽１１の壁面１１ａには、円形の貫通孔（図示略）が形成されており、この貫通孔を浴槽１１の内外から挟み込むように浴槽用アダプタ１０が装着され固定されている。給湯機１４内には、ポンプ１５が設けられており、ポンプ１５は、戻り配管１３、浴槽用アダプタ１０を介して浴槽１１内に湯を放出する。また、浴槽１１内の湯は、浴槽用アダプタ１０、往き配管１２を介して給湯機１４内に戻される。給湯機１４においては、熱交換器（図示せず）によって湯が加熱され、加熱された湯はポンプ１５を介して浴槽１１内に戻される。
【００１２】
これにより、往き配管１２、戻り配管１３およびポンプ１５等は、循環回路１７を構成している。リモコン２０はユーザによって操作され、「湯はり」、「追いだき」、「ジェットバス」等の動作を給湯機１４に指令する。ジェットバス動作を行う場合、吸気口１６から取り込まれた空気と戻り配管１３を介して供給された湯とが混合され、浴槽用アダプタ１０は、混合された湯と空気とを浴槽１１内に噴出する。
【００１３】
〈浴槽用アダプタ１０の構成〉
次に、浴槽用アダプタ１０の詳細構成を図２および図３を参照し説明する。なお、図２は、浴槽用アダプタ１０の分解斜視図であり、図３は浴槽用アダプタ１０の断面図（略図）である。
図２において、浴槽用アダプタ１０は、浴槽の壁面１１ａの外側に配置される外受け部３０と、壁面１１ａの内側に配置される内受け部３１とを有している。外受け部３０は、往き配管１２、戻り配管１３、吸気口１６（図１参照）に接続される接続口を有している。そして、外受け部３０は、壁面１１ａに向かって突出する給排水筒３０ａを有している。給排水筒３０ａにおいては、外円筒部および内円筒部（何れも符号なし）が同軸状に配置されており、内円筒部の内側には、戻り配管１３から供給された湯が通流し、内円筒部と外円筒部との間の空間は、往き配管１２を介して給湯機１４に戻される湯が通流する。
【００１４】
給排水筒３０ａと壁面１１ａとの間には、円環状に形成された外側パッキン３３ａが挿入される。また、内受け部３１は、平面状の円環部３１ａと、円環部３１ａから後方に向かって突出する円筒部３１ｂとを有している。円筒部３１ｂには、略円環板状に形成された補助ディスク５０が遊挿され、補助ディスク５０と壁面１１ａとの間には、内側パッキン３３ｂが挿入される。なお、補助ディスク５０の機能については後述する。給排水筒３０ａの外円筒部の内周面には、雌ネジ（図示せず）が形成され、円筒部３１ｂの外周面には雄ネジ（図示せず）が形成されている。この雄ネジと雌ネジとを螺合させることにより、外受け部３０と内受け部３１とが壁面１１ａを挟んで結合される。
【００１５】
その際、パッキン３３ａ，３３ｂは、浴槽用アダプタ１０の外への水漏れを防止する。吐出・吸入部３４は、給排水筒３０ａの内円筒部に結合される略円筒状の吐出部３６と、貫通孔である複数の吸入孔３７ａを形成した略円板状の吸入部３７とを有している。吐出部３６の後端部には、外周面に沿って凹部（図示せず）が形成されている。吐出部３６に凹部にＯリング状のパッキン（図示せず）を嵌め、吐出部３６の後端部を給排水筒３０ａの内円筒部に圧入すると、内円筒部と吐出部３６とが結合される。
【００１６】
吐出口３６は、戻り配管１３（図１参照）からの戻り湯を浴槽１１に吐出する。また、吸入部３７に形成された吸入孔３７ａから、湯が吸入され、吸入された湯が往き配管１２（図１参照）へ流入する。カバー部３８は、浴槽１１内の湯を吸入するための吸入口３９を有し、吐出・吸入部３４に装着される。なお、カバー部３８が吐出・吸入部３４に装着された際、吸入口３９は下方を向くようになっている。カバー部３８の内側には、フィルタ７０が収納される。フィルタ７０は、浴槽１１内の異物が吸入部３７、戻り配管１３を介して給湯機１４に流入することを防止する。
【００１７】
次に、図３において、吸入部３７と、内受け部３１とは、ネジ３５によって結合されている。また、カバー部３８の後端部分の内周面と、吸入部３７の外周面には、相互に嵌合するような構造が形成されている（詳細は後述する）。そこで、当接部分を「嵌合部４０」と呼ぶ。浴槽１１内の湯は、吸入口３９から吸入された後、カバー部内部４６に至る。吸入された湯は、フィルタ７０（図２参照）によって濾過され、吸入部３７を介して、内受け内部４７に至り、さらに外受け往き内部４８を経由して往き配管１２に通流し、給湯機１４（図１参照）に供給される。また、戻り配管１３から浴槽用アダプタ１０に戻った湯は、外受け戻り内部４９に至る。ジェットバス動作を行う場合には、外受け戻り内部４９内の湯は、吸気口１６から流入する空気と混合され、しかる後に吐出部３６から浴槽１１内に吐出される。
【００１８】
上述した各部材のうち、外受け部３０および内受け部３１は雄ネジおよび雌ネジを螺合させて締め付けるため、ＰＰＳ（Polyphenylenesulfide）樹脂等を採用することが望ましい。また、外側パッキン３３ａと内側パッキン３３ｂはシール性が求められるため、ゴム材を採用することが望ましい。また、吐出・吸入部３４とカバー部３８と補助ディスク５０とは、弾性変形させるため（詳細は後述する）、ＡＢＳ（Acrylonitrile butadiene styrene）等の柔らかい樹脂を採用することが望ましい。また、フィルタ７０は、ウレタンフォーム等のスポンジを採用することが望ましい。また、上述した各部材のうち、外受け部３０と、内受け部３１と、パッキン３３ａ，３３ｂと、吐出・吸入部３４と、補助ディスク５０とは、浴槽１１の壁面１１ａに固定されるため、これらを総称して「固定部」と呼ぶ。
【００１９】
〈嵌合部４０の詳細〉
次に、図３に示した嵌合部４０の詳細を、図４を参照し説明する。なお、図４は、吐出・吸入部３４およびカバー部３８の分解斜視図である。
図４においてカバー部３８の後端面は、補助ディスク５０（図２参照）に当接する。そこで、カバー部３８の環状の後端面を「当接面５４」と呼ぶ。当接面５４においては、内側に向かって矩形状に突出する爪部４１（押圧部）が周回等分３箇所に形成されている。また、吸入部３７の外周面４４には、略Ｌ字状の凹部４２（押圧部）と、略Ｌ字状に突出した抜け防止部４３（押圧部）とが、それぞれ周回等分３箇所に形成されている。ここで、凹部４２は、前後方向に亘って形成された開口凹部４２ａと、周回方向に沿って形成された周回凹部４２ｂとを有している。
【００２０】
ユーザがフィルタ７０（図２参照）を容易に清掃できるようにするため、カバー部３８は、吐出・吸入部３４に対して、手作業で容易に着脱可能になっている。すなわち、図４の状態においてユーザがカバー部３８の爪部４１を開口凹部４２ａに押し込み、しかる後にカバー部３８を反時計方向（図中の矢印の向き）に回動させると、やがて爪部４１が抜け防止部４３に係止され、それ以上は回動できなくなる。この回動できなくなった状態において、吸入口３９は下方向に向く。逆に、カバー部３８を取り外す場合は、カバー部３８を時計方向（図中の矢印とは逆向き）に回動させた後、爪部４１を開口凹部４２ａから引き抜くとよい。
【００２１】
〈補助ディスク５０の詳細〉
次に、補助ディスク５０の詳細を図５（ａ），（ｂ）を参照し説明する。なお、図５（ａ）は、カバー部３８および補助ディスク５０の分解斜視図であり、図５（ｂ）はそのＡ部詳細図である。
図５（ａ）において、補助ディスク５０はフェースギア状に形成されており、前面周縁部には多数の突起部が形成されている。その詳細を図５（ｂ）を参照し説明する。図５（ｂ）において、複数の突起部５１は、補助ディスク５０の外周面５２に沿って等間隔で形成されている。突起部５１は、断面が略五角形状であり、前方に向かってテーパー状に細くなりながら突出する先端部５３を有している。
【００２２】
突起部５１の外周側根元部分の周回方向の幅をｄ１とし、隣接する２つの突起部５１の外周側根元部分の周回方向の間隔をｄ２とする。また、先端部５３の周回方向の幅をｄ３とし、突起部５１の前後方向の長さをｄ４とする。これらの寸法の一例として、幅ｄ１は１．５ｍｍ、間隔ｄ２は１．５ｍｍ、幅ｄ３は１．５ｍｍ未満、長さｄ４は１．５ｍｍにするとよい。なお、これらの寸法ｄ１〜ｄ６は一例であり、適宜変更してもよい。但し、間隔ｄ２は、０．２ｍｍ〜１５ｍｍの範囲にすることが望ましく、０．５ｍｍ〜３ｍｍの範囲にすることがより望ましい。これは、間隔ｄ２を０．２ｍｍ未満にすると、樹脂成型にて補助ディスク５０を形成するために手間がかかるようになり、間隔ｄ２を１５ｍｍより大きくすると、毛髪が柔らかいユーザの毛髪を吸い込みやすくなるためである。
【００２３】
次に、図６（ａ）は、カバー部３８および補助ディスク５０の組立状態の斜視図であり、図６（ｂ）は、そのＢ部詳細図である。図６（ａ）において、カバー部３８と補助ディスク５０とは、これらの周縁部において当接する。図６（ｂ）において、突起部５１の先端部５３は、カバー部３８に押圧され、先端部５３は潰れるように弾性変形し、突起部５１とカバー部３８とは隙間なく密着する。これによって、複数の突起部５１の相互間には、相互に導通しない空間である複数のメッシュ孔５５が形成される。先端部５３をテーパー状に細くなるように形成した理由は、先端部５３と当接面５４との接触面積を小さくすることによって、比較的弱い力でカバー部３８を着脱可能にするためである。
【００２４】
先端部５３が弾性変形することにより、メッシュ孔５５の最大幅は、先端部５３のピッチをｄ５（＝ｄ１＋ｄ２）とすると、ピッチｄ５よりもやや短くなる。すなわち、上述した寸法の例においては、メッシュ孔５５の最大幅は、３ｍｍ未満になる。カバー部３８に対する先端部５３の押圧力は、図４に示した爪部４１と抜け防止部４３との位置関係によって決定される。すなわち、爪部４１と抜け防止部４３との位置関係は、先端部５３に弾性変形が起こり、かつ塑性変形を起こさない範囲の力で、カバー部３８を着脱できるように設定される。
【００２５】
〈実施形態の動作〉
次に、図７を参照し、本実施形態の動作を説明する。なお、図７は本実施形態の動作説明図であり、より具体的には、消費生活用製品安全法における「浴槽用温水循環器の試験方法」を本実施形態に適用した動作説明図である。「浴槽用温水循環器」の対象となる機器は、主に家庭用に設計したものであって循環流量が１０Ｌ／ｍｉｎ以上のジェットバス機能等を備えた機器が該当する。
【００２６】
試験の内容は、技術基準に定められた試験用毛髪束７１を吸入口３９に沿うように吊持した上で、浴槽用温水循環器（給湯機１４）に定格電圧を供給し、浴槽用温水循環器の動作中に試験用毛髪を一方の側から他方の側へ２．５分間にわたって吸入口に吸い込まれるよう動かした上で、垂直の方向および垂直より約４０度の角度の方向に当該試験用毛髪が吸入口から離れるまで引っ張り、その引抜力を測定する試験である。当該試験の判定基準は、「当該試験を３０回実施し測定した引抜力が全て２０Ｎ以下であること」と定められている。
ここで、試験用毛髪束７１は、直径２５ｍｍで長さ３００ｍｍメートルの木製の棒に取り付けた毛髪束であって、毛髪の長さが４００ｍｍ、束ねた毛髪の重量が１８０ｇの毛髪の束である。
【００２７】
次に、上記試験中におけるカバー部３８および補助ディスク５０の動作を図８（ａ）〜（ｃ）を参照し説明する。なお、図８（ａ）はカバー部３８および補助ディスク５０の使用状態（試験中）における側面図、図８（ｂ）はそのＩ−Ｉ断面図、図８（ｃ）は、そのＣ部詳細図である。
図８（ａ）において、カバー部３８から吸入される湯の大部分は吸入口３９を介して吸入されるが、一部の湯は、図８（ｃ）に示すメッシュ孔５５または凹部４２（図４参照）を介して吸入される。その際、試験用毛髪束７１の一部である毛髪６１が、吸入される湯の力で突起部５１に吸着する。
【００２８】
毛髪６１のうち、複数の突起部５１に渡って吸着している部分を毛髪胴部６２と呼び、一つの（最後の）突起部５１に吸着している部分から毛髪６１の先端までの部分を毛髪先端部６３と呼ぶ。図８（ｃ）において、毛髪胴部６２を突起部５１のピッチで区切った一部分６２ａについて検討すると、一部分６２ａが吸入される側に働く力をＦとし、隣接する一部分６２ｂまたは毛髪先端部６３から受ける張力をＴとすると、力Ｆと張力Ｔとが釣り合うことによって毛髪６１が静止する。
【００２９】
また、突起部５１の外面５１ａと内面５１ｂとの間の長さをｄ６とする。毛髪先端部６３は、その一端が自由になっているが、毛髪先端部６３の長さがｄ６以上になることは極めて稀である。その理由は、毛髪胴部６２の一部分６２ａは、毛髪先端部６３に比べてメッシュ孔５５内へ吸入される湯に接する面積が広いため、毛髪先端部６３よりも強い力を受けて毛髪先端部６３よりも早いタイミングでメッシュ孔５５に吸着する可能性が高くなるためである。
【００３０】
ここで、多数の毛髪６１において、毛髪先端部６３の長さが突起部５１の長さｄ６よりも十分に長かったと仮定してみる。この場合、突起部５１の内面５１ｂよりも内側で複数の毛髪６１が絡み、試験用毛髪束７１を引き抜くためには強い引抜力を要することになる。毛髪先端部６３が内面５１ｂよりも内側で絡む可能性を抑制するためには、長さｄ６は、メッシュ孔５５の最大幅（≒ｄ５）以上にすることが望ましい。
【００３１】
〈実施形態の効果〉
以上のように本実施形態の浴槽用アダプタ（１０）によれば、突起部（５１）と当接面（５４）とに囲まれた空間であるメッシュ孔（５５）を介して浴槽（１１）内の水を吸入するので、メッシュ孔（５５）にて毛髪の侵入を抑制することができる。さらに、突起部（５１）と当接面（５４）との間にスポンジ材等を設ける必要がなくなるため、安価に製造できる。
【００３２】
また、複数の突起部（５１）は、当接面（５４）に向かうほど幅狭になる先端部（５３）を有するので、比較的弱い力で先端部（５３）に弾性変形を起こさせることができ、比較的弱い力でカバー部（３８）を着脱できる。
また、メッシュ孔（５５）の長さ（ｄ６）は、メッシュ孔（５５）の開口部における最大幅（≒ｄ５）以上であるため、毛髪の侵入を一層抑制することができる。
【００３３】
先端部（５３）に弾性変形を起こし、かつ、塑性変形を起こさない力で突起部（５１）を当接面（５４）に押圧する押圧部（４１，４２，４３）をさらに備えたことにより、適切な圧力で突起部（５１）を当接面（５４）に押圧することができる。
また、当接面（５４）および複数の突起部（５１）は、固定部またはカバー部（３８）の外縁に沿って円形に配列されている当接面（５４）および突起部（５１）を相対的に回転させつつ両者を当接させることができる。
【００３４】
［第２実施形態］
次に、本発明の第２実施形態による給湯システムについて説明する。第２実施形態の給湯システムの全体構成は第１実施形態のもの（図１，図２参照）と同様であるが、第１実施形態におけるカバー部３８および補助ディスク５０に代えて、図９（ａ）に示すカバー部１３８および補助ディスク１５０が適用される点が第１実施形態とは異なる。
なお、図９（ａ）は、第２実施形態におけるカバー部１３８および補助ディスク１５０の分解斜視図であり、図９（ｂ）はそのＤ部詳細図である。
【００３５】
補助ディスク１５０は、略円環板状に形成されており、第１実施形態の補助ディスク５０のような突起部５１（図５（ｂ）参照）は形成されていない。カバー部１３８は、第１実施形態におけるカバー部３８と同様に構成されているが、補助ディスク１５０に接する周縁部１５４には、複数の突起部１５１が周回方向に沿って等間隔で配置されている。なお、突起部１５１の形状は、第１実施形態の突起部５１と同様である。従って、補助ディスク１５０の前面の周縁部（符号なし）が突起部１５１に当接する当接面になる。
【００３６】
本実施形態においては、カバー部１３８を吐出・吸入部３４（図４参照）に装着すると、突起部１５１の先端部が弾性変形しつつ補助ディスク１５０の当接面に押圧されるため、第１実施形態と同様のメッシュ孔が形成され、毛髪の吸入を抑制できる。これにより、本実施形態においても、毛髪が浴槽用アダプタに吸入されることを抑制できる等、第１実施形態と同様の効果を奏する。
【００３７】
［第３実施形態］
次に、本発明の第３実施形態による給湯システムについて説明する。
第３実施形態の給湯システムの全体構成は第１実施形態のもの（図１，図２参照）と同様であるが、第３実施形態では、第１実施形態の浴槽用アダプタ１０に代えて、図１０に示す浴槽用アダプタ１０Ｂが適用される。なお、図１０は、第３実施形態における浴槽用アダプタ１０Ｂの断面図である。
【００３８】
第１実施形態（図３）と本実施形態（図１０）とを比較すると、第１実施形態にて設けられていた補助ディスク５０は、本実施形態では除去されている。また、第１実施形態のカバー部３８に代えて、本実施形態では、カバー部２３８が適用されている。カバー部２３８は、第１実施形態のカバー部３８よりも前後方向に長くなっており、カバー部２３８を吐出・吸入部３４に装着した状態では、カバー部２３８の後端における円形の周縁部２３８ａは、浴槽１１の壁面１１ａに当接する。
【００３９】
ここで、周縁部２３８ａには、第２実施形態のカバー部１３８の周縁部１５４（図９（ａ），（ｂ）参照）と同様に、複数の突起部１５１が周回方向に沿って等間隔で配置されている。従って、本実施形態においては、壁面１１ａが突起部１５１に当接する当接面になる。
【００４０】
本実施形態においては、カバー部２３８を吐出・吸入部３４に装着すると、突起部１５１の先端部が弾性変形しつつ当接面である壁面１１ａに押圧されるため、第１，第２実施形態と同様のメッシュ孔が形成され、毛髪の吸入を抑制できる。さらに、本実施形態においては、補助ディスク５０，１５０を省略できるため、部品点数を削減でき、コストダウンを図ることができる。
【００４１】
［第４実施形態］
次に、本発明の第４実施形態による給湯システムについて説明する。
第４実施形態の給湯システムの全体構成は第１実施形態のもの（図１，図２参照）と同様であるが、第４実施形態では、第１実施形態の浴槽用アダプタ１０に代えて、図１１に示す浴槽用アダプタ１０Ｃが適用される。なお、図１１は、第４実施形態における浴槽用アダプタ１０Ｃの断面図である。
【００４２】
第１実施形態（図３）と本実施形態（図１１）とを比較すると、第１実施形態にて設けられていた補助ディスク５０を省略し、内受け部３１に代えて、本実施形態では内受け部１３１が適用されている。ここで、内受け部１３１は、第１，第２実施形態に適用されていた内受け部３１と比較して、平面状の円環部３１ａ（図２参照）の径を大きくし円環部３１ａの面積を広げることにより、下記するようカバー部１３８の複数の突起部１５１が拡大した円環部３１ａの平面部に当接するように構成されている。
【００４３】
また、第１実施形態のカバー部３８に代えて、本実施形態では、第２実施形態と同様のカバー部１３８が適用されており、その周縁部１５４（図９（ａ），（ｂ）参照）には、複数の突起部１５１が周回方向に沿って等間隔で配置されている。従って、本実施形態においては、内受け部１３１の前面の周縁部（符号なし）が突起部１５１に当接する当接面になる。
【００４４】
本実施形態において、カバー部１３８を吐出・吸入部３４に装着すると、突起部１５１の先端部が弾性変形しつつ当接面である内受け部１３１に押圧されるため、第１〜第３実施形態と同様のメッシュ孔が形成され、毛髪の吸入を抑制できる。さらに、本実施形態においては、一体成型した内受け部１３１を適用するため、部品点数を削減でき、コストダウンを図ることができる。
【００４５】
［変形例］
本発明は上述した実施形態に限定されるものではなく、種々の変形が可能である。上述した実施形態は本発明を理解しやすく説明するために例示したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について削除し、若しくは他の構成の追加・置換をすることが可能である。上記実施形態に対して可能な変形は、例えば以下のようなものである。
【００４６】
（１）上記各実施形態において、補助ディスク５０，１５０は、ディスク形状である必要はなく、突起部５１，１５１と当接する面を有しているものであれば、上述した各実施形態と同様の機能を奏することができる。
【符号の説明】
【００４７】
１  給湯システム
１０  浴槽用アダプタ
１１  浴槽
１１ａ  壁面
１４  給湯機
３０  外受け部（固定部）
３０，３１，３３ａ，３３ｂ，３４，５０  （固定部）
３１，１３１  内受け部（固定部）
３３ａ  外側パッキン（固定部）
３３ｂ  内側パッキン（固定部）
３４  吐出・吸入部（固定部）
３６  吐出部（固定部）
３７  吸入部（固定部）
３８，１３８，２３８  カバー部
３９  吸入口
４１  爪部（押圧部）
４２  凹部（押圧部）
４３  抜け防止部（押圧部）
４４  外周面
５０，１５０  補助ディスク（固定部）
５１，１５１  突起部
５３  先端部
５４  当接面
５５  メッシュ孔
６１  毛髪
【図１】
0006456861.tif 000002
【図２】
0006456861.tif 000003
【図３】
0006456861.tif 000004
【図４】
0006456861.tif 000005
【図５】
0006456861.tif 000006
【図６】
0006456861.tif 000007
【図７】
0006456861.tif 000008
【図８】
0006456861.tif 000009
【図９】
0006456861.tif 000010
【図１０】
0006456861.tif 000011
【図１１】
0006456861.tif 000012